(57)【要約】【課題】単一の端子カバーの中央部にストラップ取付部を露出させた状態で端子カバーのストラップ取付部の一側及び他側に配置された外部接続端子を個別に露出させる事を可能にすると共に、機器の低コスト化及び外観デザイン性の向上を実現する。【解決手段】電子機器は、機器本体１の外装カバー２２に設けられたストラップ取付部２２ａを露出させる開口部２１ａを長手方向の中央部に有し、前記長手方向の開口部２１ａの一側及び他側でそれぞれ外装カバー２２から露出して配置された外部接続端子１１〜１３を覆って保護する弾性変形可能な端子カバー２１を備える。端子カバー２１の短手方向の開口部２１ａを挟む両側には、前記長手方向の開口部２１ａの一側及び他側の部分をそれぞれ外装カバー２２に対して開閉可能に支持する一対のヒンジ部２１ｂ，２１ｃが設けられる。ヒンジ部２１ｃは、外装カバー２２に係止され、ヒンジ部２１ｂは、外装カバー２２を貫通して機器本体１の内部構造体２３に設けられた係止部２３ｂ，２３ｃに係止される【選択図】図６
2015125442.tif 000002
【特許請求の範囲】
【請求項１】
機器本体の外装カバーに設けられたストラップ取付部を露出させる開口部を長手方向の中央部に有し、前記長手方向の前記開口部の一側及び他側でそれぞれ前記外装カバーから露出して配置された外部接続端子を覆って保護する弾性変形可能な端子カバーを備え、
前記端子カバーの短手方向の前記開口部を挟む両側には、前記長手方向の前記開口部の一側及び他側の部分をそれぞれ前記外装カバーに対して開閉可能に支持する一対のヒンジ部が設けられ、
前記一対のヒンジ部のうちの一方のヒンジ部は、前記外装カバーに係止され、他方のヒンジ部は、前記外装カバーを貫通して前記機器本体の内部構造体に設けられた係止部に係止されることを特徴とする電子機器。
【請求項２】
前記ストラップ取付部と前記端子カバーとは、同一面に配置されることを特徴とする請求項１に記載の電子機器。
【請求項３】
前記内部構造体には、前記ストラップ取付部に形成される穴と前記内部構造体との間を閉塞する閉塞部が設けられることを特徴とする請求項1又は２に記載の電子機器。
【請求項４】
前記ストラップ取付部を露出させる前記開口部は、前記端子カバーの長手方向の中央部で、かつ短手方向の中央部に配置されることを特徴とする請求項１乃至３のいずれか一項に記載の電子機器。
【請求項５】
前記内部構造体は、前記外装カバーに組み付けられる操作ボタンであることを特徴とする請求項１乃至４のいずれか一項に記載の電子機器。
【発明の詳細な説明】
【技術分野】
【０００１】
本発明は、例えばデジタルカメラやデジタルビデオカメラ等の電子機器に関する。
【背景技術】
【０００２】
デジタルカメラ等の電子機器では、例えば機器本体の側面に設けた複数の外部接続端子を端子カバーで覆って保護するものがある。この場合、機器本体の側面の高さ方向の上側及び下側にそれぞれ端子カバーを開閉可能に設け、使用する外部接続端子の端子カバーだけを開くことにより、他の外部接続端子から塵埃等が機器本体内に侵入しないようにしている。
【０００３】
しかし、機器本体の側面の高さ方向の上側及び下側にそれぞれ端子カバーを設けると、部品点数が増加してコスト削減の妨げになる。
【０００４】
そこで、第１の従来例として、単一の端子カバーの中央部にヒンジ部を形成して、ヒンジ部を中心として単一の端子カバーの上側及び下側を個別に開閉可能とすることで、必要な外部接続端子だけを露出させるようにした技術が提案されている（特許文献１）。
【０００５】
また、第２の従来例として、電子機器の落下防止を目的としたストラップの取付部を機器本体の側面の中央部に設け、ストラップ取付部の上側及び下側にそれぞれ外部接続端子を配置して、複数の外部接続端子を単一の端子カバーで覆う技術が提案されている。
【０００６】
この提案では、単一の端子カバーの中央部にストラップ取付部を露出させるための開口部を設けることで、ストラップ取付部を中心として上下対称のデザインを実現して電子機器の外観デザイン性を向上させている。
【先行技術文献】
【特許文献】
【０００７】
【特許文献１】特開２００２−２７０２８４号公報
【発明の概要】
【発明が解決しようとする課題】
【０００８】
しかし、上記第１の従来例では、機器本体の側面の上側及び下側に配置された外部接続端子を個別に露出させる事はできるが、機器本体の側面の中央部にストラップ取付部を設けた場合には、端子カバーの中央部にヒンジ部を形成する事ができない。
【０００９】
また、上記第２の従来例では、機器本体の側面の上側及び下側に配置された外部接続端子を個別に露出させる事ができないばかりか、中央部に形成したストラップ取付部を露出させるための開口部により端子カバーの強度が不足してしまう。端子カバーの強度を向上させるために２色成形を用いた場合は、コストが高くなってしまう。
【００１０】
そこで、本発明は、単一の端子カバーの中央部にストラップ取付部を露出させた状態で端子カバーのストラップ取付部の一側及び他側に配置された外部接続端子を個別に露出させる事を可能にすると共に、機器の低コスト化及び外観デザイン性の向上を実現する。
【課題を解決するための手段】
【００１１】
上記目的を達成するために、本発明の電子機器は、機器本体の外装カバーに設けられたストラップ取付部を露出させる開口部を長手方向の中央部に有し、前記長手方向の前記開口部の一側及び他側でそれぞれ前記外装カバーから露出して配置された外部接続端子を覆って保護する弾性変形可能な端子カバーを備え、前記端子カバーの短手方向の前記開口部を挟む両側には、前記長手方向の前記開口部の一側及び他側の部分をそれぞれ前記外装カバーに対して開閉可能に支持する一対のヒンジ部が設けられ、前記一対のヒンジ部のうちの一方のヒンジ部は、前記外装カバーに係止され、他方のヒンジ部は、前記外装カバーを貫通して前記機器本体の内部構造体に設けられた係止部に係止されることを特徴とする。
【発明の効果】
【００１２】
本発明によれば、単一の端子カバーの中央部にストラップ取付部を露出させた状態で端子カバーの一側及び他側を個別に開閉可能にして必要な外部接続端子だけを露出させる事ができると共に、機器の低コスト化及び外観デザイン性の向上を実現することができる。
【図面の簡単な説明】
【００１３】
【図１】本発明の電子機器の実施形態の一例であるデジタルカメラを正面側（被写体側）から見た斜視図である。
【図２】図１に示すデジタルカメラを背面側から見た斜視図である。
【図３】図２の状態から端子カバーを取り外した状態を示す斜視図である。
【図４】カメラ本体の背面側から見た場合の背面カバー、操作ボタン群及び端子カバーの分解斜視図である。
【図５】カメラ本体の正面側から見た場合の背面カバー、操作ボタン群及び端子カバーの分解斜視図である。
【図６】（ａ）は図２のＡ−Ａ線断面図、（ｂ）は図２のＢ−Ｂ線断面図である。
【発明を実施するための形態】
【００１４】
以下、図面を参照して本発明の実施形態の一例を説明する。
【００１５】
図１は、本発明の電子機器の実施形態の一例であるデジタルカメラを正面側（被写体側）から見た斜視図である。図２は、図１に示すデジタルカメラを背面側から見た斜視図である。
【００１６】
図１に示すように、本実施形態のデジタルカメラは、カメラ本体１の正面側にズーム式のレンズ鏡筒６、ＡＦ補助光窓４、及び閃光発光装置５が設けられる。カメラ本体１の上面部には、レリーズボタン１ａ、ズームレバー２、電源ボタン３、マイク穴９及びスピーカ穴１０が設けられる。
【００１７】
カメラ本体１の背面側には、図２に示すように、ＬＣＤ等の表示装置８及び操作ボタン群２０が設けられる。カメラ本体１を背面側から見て右側の底部には、メモリカード等のカードスロットや電池収納部を開閉可能に覆う電池蓋７が設けられる。カメラ本体１は、本発明の機器本体の一例に相当する。
【００１８】
カメラ本体１を背面側から見て右側の側部中央部には、ストラップ取付部２２ａが設けられ、ストラップ取付部２２ａのカメラ本体１の高さ方向の上側及び下側には、複数の外部接続端子１１〜１３（図３参照）が分散して設けられる。複数の外部接続端子１１〜１３は、弾性変形可能な単一の端子カバー２１により開閉可能に覆われて保護される。
【００１９】
図３は、図２の状態から端子カバー２１を取り外した状態を示す斜視図である。図３に示すように、複数の外部接続端子１１〜１３のうち、アナログビデオ端子１１は、ストラップ取付部２２ａの上側に配置され、デジタル端子１２及び電源端子１３は、ストラップ取付部２２ａの下側に配置される。
【００２０】
アナログビデオ端子１１は、テレビ受信機等の外部映像デバイスに接続するための外部接続端子である。デジタル端子１２は、ＰＣ等に接続するための外部接続端子であり、電源端子１３は、外部電源に接続するための外部接続端子である。
【００２１】
図４は、カメラ本体１の背面側から見た場合の背面カバー２２、操作ボタン群２０及び端子カバー２１の分解斜視図である。図５は、カメラ本体１の正面側から見た場合の背面カバー２２、操作ボタン群２０及び端子カバー２１の分解斜視図である。
【００２２】
図４に示すように、背面カバー２２の側壁には、ストラップ取付部２２ａが一体に設けられている。また、端子カバー２１の長手方向の中央部で、かつ短手方向の中央部には、背面カバー２２に一体に設けられたストラップ取付部２２ａを端子カバー２１から露出させるための開口部２１ａが形成されている。背面カバー２２は、本発明の外装カバーの一例に相当する。
【００２３】
図５に示すように、端子カバー２１の短手方向における開口部２１ａの両側には、一対のヒンジ部２１ｂ及びヒンジ部２１ｃが外部接続端子１１〜１３に対する不図示のプラグの挿入方向に延設されている。ヒンジ部２１ｂ及びヒンジ部２１ｃは、ともに基端部が幅狭に形成され、先端部が幅広に形成されて、略Ｔ字状をなしている。
【００２４】
背面カバー２２の側壁には、図４及び図５に示すように、一方のヒンジ部２１ｂが貫通する穴部２２ｂと、他方のヒンジ部２１ｃの基端部の幅と略同等幅を有するスリット部２２ｃとがストラップ取付部２２ａを間に挟むように形成されている。背面カバー２２の側壁の裏面側には、スリット部２２ｃに連通する係止凹部２２ｇが形成されている。
【００２５】
スリット部２２ｃには、ヒンジ部２１ｃの幅狭の基端部が挿通し、係止凹部２２ｇには、ヒンジ部２１ｃの幅広の先端部が係止される。また、端子カバー２１の側壁には、外部接続端子１１〜１３を露出させるための穴部２２ｄ〜２２ｆが形成されている。
【００２６】
操作ボタン群２０は、背面カバー２２に操作ボタンの数に対応して形成された複数の穴部２２ｈに対して背面カバー２２の裏面側から挿入されて組み付けられる。操作ボタン群２０の中央部に配置される操作ボタン２３には、背面カバー２２のストラップ取付部２２ａに形成される穴からカメラ本体１の内部構造が見えてしまうのを防止する閉塞部２３ａが連結されている。操作ボタン２３は、本発明の内部構造体の一例に相当する。
【００２７】
また、閉塞部２３ａと操作ボタン２３との間には、ヒンジ部２１ｂの基端部の幅と略同等幅を有するスリット部２３ｂと、スリット部２３ｂに連通する係止穴部２３ｃとが設けられる。スリット部２３ｂには、ヒンジ部２１ｂの幅狭の基端部が挿通し、係止穴部２３ｃには、ヒンジ部２１ｂの幅広の先端部が係止される。スリット部２３ｂ及び係止穴部２３ｃは、本発明の係止部の一例に相当する。
【００２８】
図６（ａ）は、図２のＡ−Ａ線断面図である。図６（ｂ）は、図２のＢ−Ｂ線断面図である。本実施形態では、端子カバー２１を背面カバー２２の側壁に組み付けた後、操作ボタン群２０を背面カバー２２の裏面側から組み付ける。
【００２９】
まず、背面カバー２２のストラップ取付部２２ａに対して端子カバー２１の開口部２１ａを一致させるようにしてプラグの挿入方向から端子カバー２１を背面カバー２２に取り付ける。
【００３０】
その際、ヒンジ部２１ｃは、幅広の先端部が背面カバー２２のスリット部２２ｃよりも大きいので、端子カバー２１を弾性変形させることにより、幅広の先端部がスリット部２２ｃを乗り越えて係止凹部２２ｇに嵌め込まれ、図６（ａ）に示す状態となる。
【００３１】
これにより、ヒンジ部２１ｃの幅狭の基端部がスリット部２２ｃを挿通して挟み込まれた状態で、係止凹部２２ｇにヒンジ部２１ｃの幅広の先端部が係止される。この結果、端子カバー２１をプラグの抜き方向に引っ張っても背面カバー２２から外れない引っ張り強度に優れた構造となる。
【００３２】
一方、ヒンジ部２１ｂは、背面カバー２２の穴部２２ｂを貫通して、容易に穴部２２ｂに挿入することができる。かかる挿入状態から、背面カバー２２に対して操作ボタン群２０を背面カバー２２の裏面側から組み付ける。
【００３３】
その際に、図６（ｂ）に示すように、操作ボタン２３と閉塞部２３ａとの間に設けたスリット部２３ｂでヒンジ部２１ｂの幅狭の基端部を挟み込むとともに、係止穴部２３ｃにヒンジ部２１ｂの幅広の先端部を嵌合させる。
【００３４】
これにより、ヒンジ部２１ｂの幅狭の基端部がスリット部２３ｂを挿通して挟み込まれた状態で、係止穴部２３ｃにヒンジ部２１ｂの幅広の先端部が係止される。この結果、端子カバー２１をプラグの抜き方向に引っ張っても背面カバー２２から外れない引っ張り強度に優れた構造となる。
【００３５】
背面カバー２２に端子カバー２１を組み付けた状態では、端子カバー２１とストラップ取付部２２ａとは略同一面に配置され、閉塞部２３ａとストラップ取付部２２ａとのプラグの挿入方向から見た位置が一致する。これにより、ストラップ取付部２２ａに形成される穴からカメラ本体１の内部構造が見えてしまうのを防止することができる。
【００３６】
また、背面カバー２２に端子カバー２１を組み付けた状態では、背面カバー２２に対して端子カバー２１の長手方向の開口部２１ａの上側(一側）及び下側(他側）の部分がヒンジ部２１ｂ，２１ｃを介して個別に開閉可能に支持される。
【００３７】
従って、端子カバー２１の上側の端部を引き起こすことにより、ヒンジ部２１ｂ，２１ｃを中心に端子カバー２１の開口部２１ａの上側の部分が開いて外部接続端子１１を露出させることができる。また、端子カバー２１の下側の端部を引き起こすことにより、ヒンジ部２１ｂ，２１ｃを中心に端子カバー２１の開口部２１ａの下側の部分が開いて外部接続端子１２，１３を露出させることができる。
【００３８】
以上説明したように、本実施形態では、単一の端子カバー２１の中央部にストラップ取付部２２ａを露出させた状態でヒンジ部２１ｂ，２１ｃを中心にして端子カバー２１の上側及び下側の部分を個別に開閉することができる。これにより、ストラップ取付部２２ａの上側に配置された外部接続端子１１及びストラップ取付部２２ａの下側に配置された外部接続端子１２，１３を個別に露出させることができる。
【００３９】
また、本実施形態では、単一の端子カバー２１により複数の外部接続端子１１〜１３を覆って保護するとともに、ストラップ取付部２２ａを中心に上下対称及び左右対称の端子カバー２１とすることができる。これにより、カメラの低コスト化及び外観デザイン性の向上を実現することができる。
【００４０】
更に、本実施形態では、端子カバー２１のヒンジ部２１ｂ，２１ｃを引き出すための内部スペースをカメラ本体１に設ける必要がないため、カメラの小型化を実現することができる。
【００４１】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４２】
１  カメラ本体
１１  アナログビデオ端子
１２  デジタル端子
１３  電源端子
２１  端子カバー
２１ａ  開口部
２１ｂ  ヒンジ部
２１ｃ  ヒンジ部
２２  背面カバー
２２ａ  ストラップ取付部
２２ｂ  穴部
２２ｃ  スリット部
２３  操作ボタン
２３ａ  閉塞部
２３ｂ  スリット部
２３ｃ  係止穴部
【図１】
2015125442.tif 000003
【図２】
2015125442.tif 000004
【図３】
2015125442.tif 000005
【図４】
2015125442.tif 000006
【図５】
2015125442.tif 000007
【図６】
2015125442.tif 000008